(57)【要約】【課題】使い捨てのパンツ型着用物品の胴周り開口周縁部を、柔軟ではあるがつまみ易く、かつ折れ曲がりにくくする。【解決手段】使い捨てのパンツ型着用物品１が胴周り開口１４と脚周り開口１６とを有する。胴周り開口１４の周縁部１７の頂縁部分２６にはフリル３２が形成される。また、周縁部１７の胴周り方向には低剛性域１５ａと高剛性域１５とが形成され、フリル３２は低剛性域１５ａにおいて柔軟性に富んだ第１フリル３２ａを形成し、高剛性域１５ｂにおいて第１フリル３２ａよりも柔軟性に乏しい第２フリル３２ｂを形成する。【選択図】      図１
2004329505.tif 000002
【特許請求の範囲】
【請求項１】
胴周り開口と一対の脚周り開口とを有し、前記胴周り開口の周縁部には胴周り弾性部材が胴周り方向へ伸長状態で取り付けられており、前記胴周り弾性部材の収縮によって前記周縁部を形成しているシートにギャザーが形成されるとともに、前記胴周り弾性部材よりも上方の頂縁部分に前記シートによってフリルが形成される使い捨てのパンツ型着用物品において、
前記周縁部の前記胴周り方向に低剛性域と高剛性域とが形成され、前記フリルが前記低剛性域の前記頂縁部分に形成されている柔軟性に富んだ第１のフリルと、前記高剛性域の前記頂縁部分に形成されていて前記第１のフリルよりも柔軟性に乏しい第２のフリルとからなることを特徴とする前記パンツ型着用物品。
【請求項２】
前記低剛性域は、前記周縁部の内面を形成するシートと外面を形成するシートとを含む少なくとも２枚のシートを重ね合わせることにより形成されており、前記高剛性域は、前記低剛性域を形成している前記少なくとも２枚のシートとシートとの間に不織布、織布、プラスチックフィルム、発泡プラスチックシート、紙のいずれかを介在させることにより形成されている請求項１記載のパンツ型着用物品。
【請求項３】
前記高剛性域が前記胴周り方向に１０〜１００ｍｍの長さを有する請求項１または２記載のパンツ型着用物品。
【請求項４】
前記高剛性域が前記胴周り方向に間欠的に複数形成されている請求項１〜３のいずれかに記載のパンツ型着用物品。
【発明の詳細な説明】
【０００１】
【発明の属する技術分野】
この発明は、使い捨ておむつやトレーニングパンツ、失禁者用パンツ等として使用するのに好適な使い捨てのパンツ型着用物品に関する。
【０００２】
【従来の技術】
胴周り開口の周縁部に弾性部材を伸長状態で取り付けた使い捨てのパンツ型着用物品は周知である。特開２００２−１１９５３６号公報（特許文献１）に開示されたパンツはそうした着用物品の一つであって、着用物品のほぼ全体が弾性的に伸長可能なシートで形成されている。ただし、胴周りの側部には、非弾性域が胴周り開口の縁部近傍と脚周り開口の縁部近傍との間を上下へ延びるように形成されている。このパンツを着用するときには、その非弾性域をつまんでパンツを引張り上げるようにする。そうすることによって、全体が弾性的に伸長、収縮するパンツもその着用に手間がかかるということがなくなる。
【０００３】
また、特開２００１−１０４３７３号公報（特許文献２）に開示の使い捨てのパンツ型着用物品は、胴周り開口の周縁部に高い摩擦係数を有するシートが取り付けられることによって、その物品を着用するときに胴周り開口の周縁部がつまみ易くなる。
【０００４】
【特許文献１】
特開２００２−１１９５３６号公報
【特許文献２】
特開２００１−１０４３７３号公報
【０００５】
【発明が解決しようとする課題】
前記特許文献１のパンツでは、非弾性域が胴周り弾性部材よりも下方であって脚周り弾性部材よりも上方の範囲に形成されているか、またはそれら両弾性部材それぞれをまたぐように形成されており、その非弾性域よりも上方で胴周り開口の周縁部をつまんだときには、そのつまんだところが弾性的に伸長する。それゆえ、そのようなつまみ方をすると、パンツが僅かではあるが上下方向に伸長するので、非弾性域をつまんだときよりもパンツを着用するのに手間のかかることがある。また、このパンツでは、胴周り開口の周縁部を形成している不織布が胴周り弾性部材よりも上方の頂縁部分にフリルを形成している。胴周り弾性部材が収縮すると、弾性部材を覆っている部分の不織布に多数のギャザーが形成されるとともに、フリルを形成している部分の不織布にも多数のギャザーが形成される。
このパンツを着用するときには、フリルの一部分がパンツの内側へ折れ曲がってパンツと着用者の肌との間に入り、着用者に不快な感じを与えたり、着用したパンツの外観を見苦しいものにしたりすることがある。また、フリルがそのように折れ曲がると、折れ曲がった部分が発端となってその部分の近傍も折れ曲がり始め、胴周り開口の周縁部はパンツを着用し終わったときにフリルのみならずフリルよりも下方の部分も広い範囲にわたって折れ曲がっているということがある。
【０００６】
特許文献２の着用物品では、胴周り開口の周縁部全体に摩擦係数の高いシートを取り付けることによって周縁部がつまみ易くなる。しかし、その周縁部は全体的に剛性が高くなるから、この着用物品では前記周縁部によって柔らかい乳幼児の肌を刺激することがないように配慮することが必要である。
【０００７】
この発明は、胴周り開口の周縁部に弾性部材が伸長状態で取り付けられており、その周縁部の頂縁部分にはフリルが形成されているパンツ型着用物品において、周縁部が柔軟ではあるがつまみ易いものであるように、また頂縁部分のフリルの折れ曲がりを防止することができるように改良を施すことを課題にしている。
【０００８】
【課題を解決するための手段】
前記課題解決のためにこの発明が対象とするのは、胴周り開口と一対の脚周り開口とを有し、前記胴周り開口の周縁部には胴周り弾性部材が胴周り方向へ伸長状態で取り付けられており、前記胴周り弾性部材の収縮によって前記周縁部を形成しているシートにギャザーが形成されるとともに、前記胴周り弾性部材よりも上方の頂縁部分に前記シートによってフリルが形成される使い捨てのパンツ型着用物品である。
【０００９】
かかるパンツ型着用物品において、この発明が特徴とするところは、前記周縁部の前記胴周り方向に低剛性域と高剛性域とが形成され、前記フリルが前記低剛性域の前記頂縁部分に形成されている柔軟性に富んだ第１のフリルと、前記高剛性域の前記頂縁部分に形成されていて前記第１のフリルよりも柔軟性に乏しい第２のフリルとからなること、にある。
【００１０】
この発明には、次のような好ましい実施態様がある。
（１）前記低剛性域は、前記周縁部の内面を形成するシートと外面を形成するシートとを含む少なくとも２枚のシートを重ね合わせることにより形成されており、前記高剛性域は、前記低剛性域を形成している前記少なくとも２枚のシートとシートとの間に不織布、織布、プラスチックフィルム、発泡プラスチックシート、紙のいずれかを介在させることにより形成されている。
（２）前記高剛性域が前記胴周り方向に１０〜１００ｍｍの長さを有する。
（３）前記高剛性域が前記胴周り方向に間欠的に複数形成されている。
【００１１】
【発明の実施の形態】
添付の図面を参照して、この発明に係る使い捨てのパンツ型着用物品の詳細を説明すると、以下のとおりである。
【００１２】
図１に部分破断斜視図で示された使い捨てのパンツ型おむつ１は、この発明に係る着用物品の一例である。図１はおむつ１を後側から見たものであり、そのおむつ１は透液性表面シート２と、不透液性裏面シート３と、これら両シート２，３の間に介在する吸液性コア４とからなり、前胴周り域６と、後胴周り域７と、股下域８とを有する。表裏面シート２，３は、コア４の周縁部分から延出して重なり合い、ホットメルト接着剤（図示せず）を介して互いに接合している。おむつ１では、前後胴周り域６，７の互いに重なり合う側縁部１１，１２どうしが図において上下方向へ間欠的に並ぶ部位１３で接合しており、その接合によって胴周り開口１４と一対の脚周り開口１６とが形成されている。胴周り開口１４の周縁部１７では、重なり合う表裏面シート２，３のうちの少なくとも表面シート２の内面に糸状を成す複数の胴周り弾性部材２１がホットメルト接着剤（図示せず）を介して伸長状態で取り付けられており、胴周り弾性部材２１よりも上方の頂縁部分２６にはフリル３２が形成されている。周縁部１７の周り方向には、これら表裏面シート２，３と胴周り弾性部材２１とを含む柔軟性に富んだ低剛性域１５ａが形成されるとともに、表裏面シート２，３と胴周り弾性部材２１の他に剛性化シート３３を含む柔軟性に乏しい高剛性域１５ｂが形成されている。図において、低剛性域１５ａは前胴周り域６における周縁部１７の全体と後胴周り域７における周縁部１７の一部分とに形成され、高剛性域１５ｂは後胴周り域７の周縁部１７の一部分にのみ形成されている。脚周り開口１６の周縁部１８では、重なり合う表裏面シート２，３のうちの少なくとも一方の内面に糸状を成す複数の脚周り弾性部材２２がホットメルト接着剤（図示せず）を介して取り付けられている。かように形成されたおむつ１は、幅方向を二等分する中心線Ｃ−Ｃに関して対称である。
【００１３】
図２は、図１のＩＩ−ＩＩ線に沿った切断面を示す図である。図２において、周縁部１７における低剛性域１５ａでは、周縁部１７の内面を形成する表面シート２と周縁部１７の外面を形成する裏面シート３とが胴周り弾性部材２１を挟んで互いに接合し、胴周り弾性部材２１の収縮によって、それら表裏面シート２，３が弾性部材２１の近傍で多数の柔軟なギャザー３１（図１参照）を形成している。また、周縁部１７のうちの頂縁部分２６では、表裏面シート２，３が特に柔軟で肌触りのよい多数のギャザーを有する第１フリル３２ａ（図１参照）を形成している。第１フリル３２ａは、周縁部１７の全周に形成されるフリル３２のうちの一部分を成すものである。表面シート２と裏面シート３とは、これら両シートの柔軟性を損なうことがないようにおむつ１の上下方向と周り方向とにおいて溶着または接着によって間欠的に接合することが好ましい。
【００１４】
図３は、図１のＩＩＩ−ＩＩＩ線に沿った切断面を示す図である。周縁部１７における高剛性域１５ｂでは、裏面シート３の内面には剛性化シート３３が接着または溶着によって接合している。その剛性化シート３３は、好ましくは表面シート２の内面にも接合しているが、弾性部材２１に対しては接合している場合といない場合とがある。剛性化シート３３はまた、図の上下方向において、コア４よりも上方にあって、周縁部１７の頂縁部分２６にまで延びている。かかる剛性化シート３３は、それを挟む表裏面シート２，３と接合することによって、その接合している部位における周縁部１７の剛性を高め、その結果として剛性化シート３３の近傍ではギャザー３１の形成が抑制されている。周縁部１７のうちの頂縁部分２６も剛性化シート３３の存在によって剛性が高くなり、その頂縁部分２６には第１フリル３２ａよりも柔軟性が乏しくギャザーの数が少ないかまたはギャザーが殆ど存在しない第２フリル３２ｂが形成されている。図１から明らかなように、周縁部１７におけるフリル３２は、第１フリル３２ａと第２フリル３２ｂとからなる。
【００１５】
かような胴周り開口１４における周縁部１７の高剛性域１５ｂは、低剛性域１５ａよりも剛性が高くて、しかも伸長、収縮し難く形成されており、おむつ１を着用させるときにここをつまめば、おむつ１は、たとえその全体が弾性的に伸長性のものであっても、引張り上げるのに手間のかかることがない。また、高剛性域１５ｂでは第２フリル３２ｂも剛性が高いので、おむつ１を引張り上げるときに、第２フリル３２ｂがおむつ１の内側へ巻き込まれるように折れ曲がるという恐れがないばかりか、低剛性域１５ａで第１フリル３２ａが折れ曲がり始めても、その折れ曲がりが胴周り方向へ広がることをこの高剛性域１５ｂで止めることができる。
【００１６】
図４は、この発明において周縁部１７の低剛性域１５ａと高剛性域１５ｂとの剛性の程度を測定するための試験装置１００の斜視図である。装置１００は、シート状の試片１０１を両側からクランプすることができる試片支持部１０２と、試片１０１を上方から定速で圧縮することができる加圧部１０３とを有する。試片１０１は、パンツ１の周縁部１７から切り取られるもので頂縁部分２６を含み、周縁部１７の周り方向に伸長状態で１００ｍｍの長さを有し、頂縁部分２６から下方に向かって少なくとも４０ｍｍの高さを有する。かかる試片１０１は、それに含まれる胴周り弾性部材２１が収縮して長さＬとなった状態で支持部１０２にクランプされる。支持部１０２では、試片１０１において上方へ突出する頂縁部分２６の寸法ｈが３０ｍｍとなるように試片１０１がクランプされる。クランプ後の試片１０１は、１０ｍｍ／ｍｉｎで下降する加圧部１０３で１０ｍｍ圧縮され、その圧縮に要した最大荷重（Ｎ）を求め、その値を試片１０１の長さ１００ｍｍ当たりの剛性とする。このようにして測定される剛性において、好ましい低剛性域１５ａは０．０１〜０．８Ｎの値を有し、好ましい高剛性域１５ｂは１〜５Ｎの値を有する。
【００１７】
剛性化シート３３は、図１の例の他に、周縁部１７の周り方向において周縁部１７のどこにでも取り付けることができる。また、その剛性化シート３３によって高剛性域１５ｂを１箇所ないし複数箇所作ることができる。ただし、おむつ着用者が仰臥の姿勢にあるときには、フリル３２がおむつ１の後胴周り域７において折れ曲がっていてもその折れ曲がりを発見できないということがあるから、剛性化シート３３の使用量を極力少なくしたいという場合には、それを後胴周り域７の周縁部１７に限定して使用することが好ましい。また、剛性化シート３３は、周縁部１７の周り方向に１０〜１００ｍｍの長さを有し、周縁部１７の上下方向に２０〜５０ｍｍの高さ有するものを１枚使用するか、または複数枚を同周り方向に間欠的に並べて使用することができるが、周縁部１７の周囲長に占める割合が７０％を超えると周縁部１７の弾性的な収縮を阻害するようになり、またその割合が１０％未満ではフリルの折れ曲がりを防止するのに顕著な効果を奏し得ないから、その割合は１５〜６０％の範囲にあることが好ましい。
【００１８】
おむつ１において、表面シート２には透液性の不織布や透液性の開孔プラスチックフィルムなどを使用することができる。裏面シート３には、不透液性のプラスチックフィルムや不透液性の不織布、不透液性のプラスチックフィルムと不織布とのラミネートシートなどを使用することができる。コア４には、粉砕パルプと高吸水性ポリマー粒子との混合物などを使用することができる。剛性化シート３３には、不織布や織布、プラスチックフィルム、発泡プラスチックシート、紙などを使用することができる。剛性化シート３３による周縁部１７に対しての剛性化の程度は、シート３３に使用するプラスチック材料の種類、シート３３の坪量、シート３３の密度などによって調整することができる。おむつ１における各部材は、接着剤を使用して接合することもできるし、加熱下での溶着によって接合することもできる。
【００１９】
図５は、実施態様の他の一例を示す図３と同様な図面である。この例のおむつ１における周縁部１７では、裏面シート３が周縁部１７の頂縁部分２６においておむつ１の内側へ折曲され、表面シート２に重ねられてホットメルト接着剤（図示せず）によって接合している。このように形成された周縁部１７において、高剛性域１５ｂは４枚のシート、即ち表面シート２と、折り返されて二重になっている裏面シート３と、剛性化シート３３とからなり、周縁部１７の内外面が裏面シート３によって形成されている。図示例の剛性化シート３３は、それが裏面シート３と表面シート２とに接合しているときに、高剛性域１５ｂの剛性を最も高くすることができる。しかし、そのような必要がなければ、剛性化シート３３は、表面シート２に接合することなく裏面シート３にのみ接合するものであってもよい。この例のおむつ１において、図示されていない低剛性域１５ａは、３枚のシート、即ち表面シート２と、折り返されて二重になっている裏面シート３とからなる。
【００２０】
この発明において、剛性化シート３３は、図３や図５の例に代えて、表面シート２と胴周り弾性部材２１との間に位置させて、その表面シート２に接合することもできる。周縁部１７において、低剛性域１５ａは周縁部１７の内面を形成するシートと外面を形成するシートとの少なくとも２枚のシートを重ね合わせることによって形成される。それら少なくとも２枚のシートは、図示例の如く表面シート２と裏面シート３とを重ね合わせたものであってもよいが、その他に表面シート２を折り重ねたり、裏面シート３を折り重ねたりしたものであってもよい。
低剛性域１５ａは、３枚のシート、またはそれ以上の枚数のシートを重ね合わせることによって形成されていてもよい。もう一方の高剛性域１５ｂは、このように形成される低剛性域１５ａよりも多くの枚数のシートを含むことによって、または低剛性域１５ａに含まれるシートよりも高い剛性を有するシートを含むことによって低剛性域１５ａよりも剛性が高くなるように作られる。
【００２１】
【発明の効果】
この発明に係る使い捨てのパンツ型着用物品は、弾性的に収縮してギャザーを形成する胴周り開口の周縁部の一部分に剛性化シートを配置し、かつ、その剛性化シートは着用物品の上下方向において周縁部の頂縁部分にまで延びるようにしたから、周縁部がギャザーの存在によって着用者の肌にソフトに接触する一方、剛性化シートを配置した部分では剛性が高くなってその部分をつまむことが容易になる。また、その剛性化シートが周縁部の頂縁部分にまで延びることによって、その頂縁部分に形成されるフリルが低剛性域に形成されるフリルよりも柔軟性の乏しいものになるので、着用物品の周縁部が内側へ折れ曲がることを防ぐことができる。
【図面の簡単な説明】
【図１】パンツ型着用物品の部分破断斜視図。
【図２】図１のＩＩ−ＩＩ線切断面を示す図。
【図３】図１のＩＩＩ−ＩＩＩ線切断面を示す図。
【図４】剛性測定装置の斜視図。
【図５】実施態様の一例を示す図３と同様な図面。
【符号の説明】
１      パンツ型着用物品（おむつ）
１４    胴周り開口
１５ａ    低剛性域
１５ｂ    高剛性域
１６    脚周り開口
１７    周縁部
２１    胴周り弾性部材
２６    頂縁部分
３１    ギャザー
３２    フリル
３２ａ    第１フリル
３２ｂ    第２フリル
【図１】
2004329505.tif 000003
【図２】
2004329505.tif 000004
【図３】
2004329505.tif 000005
【図４】
2004329505.tif 000006
【図５】
2004329505.tif 000007